(57)【要約】【課題】ユーザが誤配線しにくい取扱説明書を提供する。【解決手段】本発明における取扱説明書１０１は、機器１０２の取扱説明書であって、機器１０２の所定部分１０３に適合する形状に加工された装着部１０４を備え、所定部分１０３と装着部１０４との嵌合により機器１０２に取外し可能な状態で固定される。取扱説明書１０１は、さらに、所定部分１０３の接続先を示す接続先説明部１２１ａ〜１２１ｄと、接続先説明部１２１ａ〜１２１ｄと、装着部１０４との対応関係を示す接続明示部１２２ａ〜１２２ｄとを備えてもよい。【選択図】図１
2007181956.tif 000002
【特許請求の範囲】
【請求項１】
機器の取扱説明書であって、
前記機器の所定部分に適合する形状に加工された装着部を備え、
前記所定部分と前記装着部との嵌合により前記機器に取外し可能な状態で固定される
ことを特徴とする取扱説明書。
【請求項２】
前記取扱説明書は、さらに、
前記所定部分の接続先を示す接続先説明部と、
前記接続先説明部と、前記装着部との対応関係を示す接続明示部とを備える
ことを特徴とする請求項１記載の取扱説明書。
【請求項３】
前記装着部と前記取扱説明書の一端との間に切り欠きが設けられる
ことを特徴とする請求項１または２記載の取扱説明書。
【請求項４】
前記取扱説明書は、さらに、
前記装着部と同形状の予備装着部を備える
ことを特徴とする請求項１〜３のいずれか１項に記載の取扱説明書。
【請求項５】
前記取扱説明書は、折り返し可能であり、
前記予備装着部は、前記取扱説明書を折り返した状態において、前記装着部と重なるように形成され、
前記取扱説明書は、前記取扱説明書の表面および裏面に同一の内容が記載される
ことを特徴とする請求項４記載の取扱説明書。
【請求項６】
前記取扱説明書は、さらに、
前記機器に取外し可能な状態で固定された状態において、前記機器の放熱を行う通気部を備える
ことを特徴とする請求項１〜５のいずれか１項に記載の取扱説明書。
【請求項７】
前記取扱説明書は、さらに、
タブ形式の見出し部を備える
ことを特徴とする請求項１〜６のいずれか１項に記載の取扱説明書。
【請求項８】
前記所定部分は、凸状の端子であり、
前記装着部は、前記端子と同形状の穴である
ことを特徴とする請求項１〜７のいずれか１項に記載の取扱説明書。
【請求項９】
前記機器は、ＡＶ機器であり、
前記端子は、アンテナ端子である
ことを特徴とする請求項８記載の取扱説明書。
【発明の詳細な説明】
【技術分野】
【０００１】
本発明は、取扱説明書に関し、特に、レコーダやテレビ等のＡＶ機器の取扱説明書に関する。
【背景技術】
【０００２】
一般に、ユーザがＡＶ機器を購入した際には、そのパッケージ内に取扱説明書が同梱されており、設置の際に必要となるＡＶ機器の配線接続等の情報が分かりやすく記されている（例えば、特許文献１参照。）特許文献１記載の取扱説明書は、配線手順のステップごとに、配線箇所を明示する配線図エリアと、その配線の際に必要となる配線部品を明示した配線部品図エリアを設けている。これにより、ユーザは、配線部分を確認しながら順次配線することができる。
【０００３】
また、多くのＡＶ機器では、詳細を記述した取扱説明書とは別に、例えば「かんたんガイド」などという名称で、設置時の配線方法等をわかりやすく図示した取扱説明書が同梱されている。
【特許文献１】特許第３０８２４２２号公報
【発明の開示】
【発明が解決しようとする課題】
【０００４】
しかしながら、従来の取扱説明書は、出荷時には機器本体と同梱されているものの物理的には分離された形態である。これにより、機器本体をパッケージから取り出した際に機器本体と取扱説明書が分離してしまい、機器の設置に有効な情報が記載された取扱説明書にユーザが気付かないまま配線を行い、誤配線を招く場合が発生していた。また、取扱説明書に気付いた場合であっても、取扱説明書と機器の端子部との間で視線を行き来させるうちに、端子を間違えて接続する場合が発生していた。すなわち、従来の取扱説明書は、ユーザが誤配線をしてしまうという問題がある。
【０００５】
そこで、本発明は、ユーザが誤配線しにくい取扱説明書を提供することを目的とする。
【課題を解決するための手段】
【０００６】
上記目的を達成するために、本発明に係る取扱説明書は、機器の取扱説明書であって、前記機器の所定部分に適合する形状に加工された装着部を備え、前記所定部分と前記装着部との嵌合により前記機器に取外し可能な状態で固定される。
【０００７】
これにより、取扱説明書が機器に固定されているので、ユーザは、機器を購入し、パッケージから取り出した際に、取扱説明書と機器が物理的に分離されている場合に比べ、取扱説明書に気付きやすい。また、機器の設置の際にも取扱説明書に気付きやすい。よって、ユーザは、取扱説明書に記載された設置に有効な情報を確認することができるので、機器の設置の際の誤配線を防止することができる。また、機器を設置した後には、取扱説明書を機器から容易に取り外すことができる。
【０００８】
また、前記取扱説明書は、さらに、前記所定部分の接続先を示す接続先説明部と、前記接続先説明部と、前記装着部との対応関係を示す接続明示部とを備えてもよい。
【０００９】
これにより、ユーザは、機器の所定部分の接続先を一目で確認することができる。また、取扱説明書と機器との間で視線の移動が不要となる。これにより、機器の設置の際の誤配線を防止することができる。
【００１０】
また、前記装着部と前記取扱説明書の一端との間に切り欠きが設けられてもよい。
【００１１】
これにより、ユーザは、機器の所定部分に配線を接続した後であっても、配線を取り外すことなく、取扱説明書を機器から取り外すことができる。
【００１２】
また、前記取扱説明書は、さらに、前記装着部と同形状の予備装着部を備えてもよい。
【００１３】
これにより、機器の所定部分に予備装着部を嵌合することで、機器に対する取扱説明書の配置を変更することができる。よって、機器の設置状況により、ユーザが取扱説明書の内容を見難い場合には、機器の所定部分に予備装着部を嵌合することで、ユーザは、取扱説明書の内容を容易に確認することができる。
【００１４】
また、前記取扱説明書は、折り返し可能であり、前記予備装着部は、前記取扱説明書を折り返した状態において、前記装着部と重なるように形成され、前記取扱説明書は、前記取扱説明書の表面および裏面に同一の内容が記載されてもよい。
【００１５】
これにより、ユーザは、取扱説明書を折り返し、機器の所定部分に予備装着部を嵌合することで、機器に対する取扱説明書の配置を変更することができる。よって、機器の設置状況により、ユーザが取扱説明書の内容を見難い場合には、取扱説明書を折り返し機器の所定部分に予備装着部を嵌合することで、ユーザは、取扱説明書の内容を容易に確認することができる。また、ユーザは、取扱説明書を折り返すことで、取扱説明書を機器から取外すことなく、機器に対する取扱説明書の配置を変更することができる。
【００１６】
また、前記取扱説明書は、さらに、前記機器に取外し可能な状態で固定された状態において、前記機器の放熱を行う通気部を備えてもよい。
【００１７】
これにより、機器に取扱説明書を取り付けたまま機器を使用した場合にも、機器の放熱を妨げない。
【００１８】
また、前記取扱説明書は、さらに、タブ形式の見出し部を備えてもよい。
【００１９】
これにより、ユーザは、機器の設置状況等に対応する接続情報を容易に得ることができる。
【００２０】
また、前記所定部分は、凸状の端子であり、前記装着部は、前記端子と同形状の穴であってもよい。
【００２１】
これにより、凸状の端子に凸状の端子と同形状の穴を嵌合することで、取扱説明書と機器とを取外し可能な状態に固定することができる。
【００２２】
また、前記機器は、ＡＶ機器であり、前記端子は、アンテナ端子であってもよい。
【００２３】
これにより、ＡＶ機器のアンテナ端子にアンテナ端子と同形状の穴を嵌合することで、取扱説明書と機器とを取外し可能な状態に固定することができる。
【発明の効果】
【００２４】
本発明は、ユーザが誤配線しにくい取扱説明書を提供することができる。
【発明を実施するための最良の形態】
【００２５】
以下、本発明に係る取扱説明書の実施の形態について、図面を参照しながら詳細に説明する。
【００２６】
（実施の形態１）
本実施の形態における取扱説明書は、機器の端子部分と取扱説明書に設けられた穴とが嵌合されることにより機器に取外し可能な状態で固定される。これにより、ユーザは、機器を購入し、パッケージから取り出した際に、取扱説明書に容易に気付くことができる。また、ユーザは機器の端子部分と取扱説明書との間で目線を行き来させる必要がなくなるので、誤配線を防止することができる。
【００２７】
図１は、本実施の形態における取扱説明書の装着例を示す図である。
図１（ａ）はＤＶＤレコーダの背面から俯瞰図であり、図１（ｂ）はＤＶＤレコーダの側面からの平面図である。なお、図１（ｂ）において、取扱説明書１０１とＤＶＤレコーダ１０２の間に空間が存在するが、図を分かりやすくするために空間を設けたものであり、実際は接していてよい。
【００２８】
取扱説明書１０１は、穴１０４と、切り欠き１０５とが設けられる。例えば、取扱説明書１０１の材料は、紙である。
【００２９】
穴１０４は、ＤＶＤレコーダ１０２のアンテナ端子１０３に適合する形状に加工された穴である。すなわち、穴１０４は、アンテナ端子１０３と同形状の穴である。取扱説明書１０１は、凸状のアンテナ端子１０３と穴１０４との嵌合により、ＤＶＤレコーダ１０２に取外し可能な状態で固定される。すなわち、取扱説明書１０１は、穴１０４にアンテナ端子１０３を通した状態でＤＶＤレコーダ１０２に装着される。図１に示すように取扱説明書１０１は、ＤＶＤレコーダ１０２の形状に合わし折り曲げられ、ＤＶＤレコーダ１０２の上面に取扱説明書１０１が接するように配置される。
【００３０】
切り欠き１０５は、穴１０４と取扱説明書１０１の一端（図１（ａ）における取扱説明書１０１の下端）との間に設けられる。切り欠き１０５を設けることで、取扱説明書１０１を装着したままアンテナ端子１０３にアンテナケーブルを接続しても、アンテナケーブルを外すことなく取扱説明書１０１をＤＶＤレコーダ１０２から分離できる。すなわち、アンテナケーブルを接続して、穴１０４からアンテナ端子１０３を抜くことができない状態になっても、切り欠き１０５の部分にアンテナ端子１０３を通す（図１における上面方向に取扱説明書１０１をずらす）ことにより容易に取扱説明書１０１をＤＶＤレコーダ１０２から外すことができる。
【００３１】
図１に示すように取扱説明書１０１をＤＶＤレコーダ１０２に装着した状態で、製品を出荷することで、ユーザは、製品購入後のＤＶＤレコーダ１０２の設置作業の際に、必ず取扱説明書１０１が目に入ることになる。これにより、ユーザは、取扱説明書１０１に記載された設置に有効な情報を確認することができるので、機器の設置の際の誤配線を防止することができる。また、運送時等において取扱説明書１０１がＤＶＤレコーダ１０２から外れる事は無い。
【００３２】
図２は、図１に示す取扱説明書１０１の展開図である。
【００３３】
図２に示すように取扱説明書１０１は、アンテナ端子１０３が嵌合される穴１０４ａ〜１０４ｄと、接続先説明部１２１ａ〜１２１ｄと、接続明示部１２２ａ〜１２２ｄとを備える。
【００３４】
接続先説明部１２１ａ〜１２１ｄは、穴１０４ａ〜１０４ｄに嵌合されるアンテナ端子１０３の接続先の情報を示す。
【００３５】
接続明示部１２２ａ〜１２２ｄは、それぞれ、穴１０４ａ〜１０４ｄと、接続先説明部１２１ａ〜１２１ｄとを接続する線である。すなわち、接続明示部１２２ａは、穴１０４ａと接続先説明部１２１ａとを結ぶ線であり、接続明示部１２２ｂは、穴１０４ｂと接続先説明部１２１ｂとを結ぶ線であり、接続明示部１２２ｃは、穴１０４ｃと接続先説明部１２１ｃとを結ぶ線であり、接続明示部１２２ｄは、穴１０４ｄと接続先説明部１２１ｄとを結ぶ線である。このように、接続先明示部１２２ａ〜１２２ｄは、接続先説明部１２１ａ〜１２１ｄと、穴１０４ａ〜１０４ｄとの対応関係を示す。接続明示部１２２ａ〜１２２ｄにより、接続先説明部１２１ａ〜１２１ｄがどの穴１０４ａ〜１０４ｄに対応するかを、ユーザは一目で判別することができる。
【００３６】
例えば、図２に示すように、穴１０４ａに嵌合されるアンテナ端子１０３の接続先は、テレビ背面のＣＳ入力端子であり、穴１０４ｂに嵌合されるアンテナ端子１０３の接続先は、テレビ背面の地上デジタル入力端子であり、穴１０４ｃに嵌合されるアンテナ端子１０３の接続先は、ＵＨＦアンテナ端子であり、穴１０４ｄに嵌合されるアンテナ端子１０３の接続先は、ＣＳアンテナ端子であるという情報が取扱説明書１０１に図示される。
【００３７】
このように、本実施の形態における取扱説明書１０１を用いることで、ユーザは、アンテナ端子１０３と、アンテナ端子１０３の接続先の情報を示している接続先説明部１２１ａ〜１２１ｄとの対応関係を接続明示部１２２ａ〜１２２ｄにより、容易に理解することができる。これにより、ユーザは、アンテナ端子１０３の接続先の情報を容易に得ることができる。また、ユーザは、取扱説明書１０１とアンテナ端子１０３との間で視線の移動が不要となる。よって、取扱説明書１０１を用いることで、ユーザが端子を間違えて接続するミスを防止することができる。
【００３８】
また、本実施の形態における取扱説明書１０１は、ＤＶＤレコーダ１０２が備えているアンテナ端子１０３と同形状の穴１０４により、取扱説明書１０１とＤＶＤレコーダ１０２とを取外し可能な状態に固定している。これにより、ＤＶＤレコーダ１０２に取扱説明書１０１を取外し可能な状態に固定するための部材をＤＶＤレコーダ１０２に追加で形成する必要がないので、取扱説明書１０１を用いることによるコストの増加を招くことはない。
【００３９】
さらに、取扱説明書１０１は、タブ形式の見出し部であるタブ１１０を備える。タブ１１０には、例えば、「地上放送のみと接続する場合」、「ＣＡＴＶと接続する場合」または「ＳＴＢを接続する場合」等のように、タブ１１０ごとに異なる接続形態が表記されており、ユーザは、設置条件に応じて該当するタブのページを開くことで、最適な接続配線を参照することができる。
【００４０】
図３は、タブ１１０の「地上放送のみと接続する場合」のページを開いた場合の取扱説明書１０１の展開図である。図３に示すように、タブ１１０の「地上放送のみと接続する場合」のページを開いた場合には、地上放送のみの接続情報が記載されている。すなわち、穴１０４ｂおよび穴１０４ｃに嵌合されるアンテナ端子１０３に接続される接続先情報１２１ｂおよび１２１ｃのみを参照することができる。
【００４１】
なお、上述した「ＣＡＴＶと接続する場合」または「ＳＴＢを接続する場合」には、図示されていないが、ＤＶＤレコーダ１０２は、ＣＡＴＶ用の端子またはＳＴＢ用の端子を備え、取扱説明書１０１は、ＣＡＴＶ用の端子またはＳＴＢ用の端子に対応する穴１０４を備える。
【００４２】
以上より、本実施の形態における取扱説明書１０１は、ＤＶＤレコーダ１０２に取り外し可能な状態で固定される。よって、取扱説明書１０１をＤＶＤレコーダ１０２に装着した状態で、製品を出荷することで、ユーザは、製品購入後のＤＶＤレコーダ１０２の設置作業の際に、必ず取扱説明書１０１が目に入ることになる。これにより、ユーザは、取扱説明書１０１に記載された設置に有効な情報を確認することができるので、機器の設置の際の誤配線を防止することができる。
【００４３】
また、本実施の形態における取扱説明書１０１は、アンテナ端子１０３が嵌合される穴１０４ａ〜１０４ｄと、アンテナ端子１０３の接続先の情報を示している接続先説明部１２１ａ〜１２１ｄとの対応関係を明示する接続明示部１２２ａ〜１２２ｄとを備える。これにより、ユーザは、アンテナ端子１０３の接続先を容易に理解することができる。さらに、ユーザは、取扱説明書１０１とアンテナ端子１０３との間で視線の移動が不要となる。よって、ユーザの誤配線を防止することができる。
【００４４】
また、本実施の形態における取扱説明書１０１は、切り欠き１０５を設けることで、取扱説明書１０１を装着したままアンテナ端子１０３にアンテナケーブルを接続しても、アンテナケーブルを外すことなく取扱説明書１０１をＤＶＤレコーダ１０２から分離できる。
【００４５】
また、本実施の形態における取扱説明書１０１は、タブ１１０ごとに異なる接続形態が表記されており、ユーザは、設置条件に応じて該当するタブのページを開くことで、最適な接続配線を参照することができる。
【００４６】
（実施の形態２）
実施の形態１における取扱説明書１０１は、アンテナ端子１０３に対応する穴１０４を１組のみ設けていたが、ＤＶＤレコーダ１０２の設置状況によっては、ＤＶＤレコーダ１０２の上面に取扱説明書１０１がある場合には、ユーザが取扱説明書１０１に記載されている内容を見難い場合はある。例えば、ＤＶＤレコーダ１０２の上面にＴＶ等が配置されている場合には、ユーザは、取扱説明書１０１に記載されている内容を見ることが困難である。実施の形態２では、取扱説明書を折り返すことで、ＤＶＤレコーダ１０２の設置状況により、ＤＶＤレコーダ１０２に対する位置を変更することができる取扱説明書について説明する。
【００４７】
図４は、実施の形態２における取扱説明書の折り返し使用の例を示す図である。
【００４８】
図４（ａ）は、取扱説明書を折り返していない状態の取扱説明書およびＤＶＤレコーダ１０２の状態を示す図である。
【００４９】
図４（ａ）に示す取扱説明書２０１は、穴１０４と、穴２０４と、切り欠き１０５と、切り欠き２０５とが設けられる。
【００５０】
穴１０４は、実施の形態１における取扱説明書１０１と同様の構成であり、ＤＶＤレコーダ１０２のアンテナ端子１０３に嵌合される。
【００５１】
切り欠き１０５は、穴１０４と取扱説明書２０１の一端（図４（ａ）における取扱説明書２０１の左端）との間に形成される。
【００５２】
穴２０４は、穴１０４と同形状の穴であり、アンテナ端子１０３と嵌合することができる。
【００５３】
切り欠き２０５は、穴２０４と取扱説明書２０１の一端（図４（ａ）における取扱説明書２０１の左端）との間に形成される。
【００５４】
また、取扱説明書２０１の表面には、実施の形態１と同様に、アンテナ端子１０３の接続先の情報が図示されている。
【００５５】
図４（ｂ）は、取扱説明書２０１を折り返した状態の取扱説明書２０１およびＤＶＤレコーダ１０２の状態を示す図である。
【００５６】
図４（ｂ）に示すように、実施の形態２における取扱説明書２０１は、取扱説明書２０１を折り返し、穴２０４をアンテナ端子１０３に嵌合することができる。取扱説明書２０１を折り返した状態において、穴１０４および穴２０４は重なり、それぞれアンテナ端子１０３と嵌合される。
【００５７】
取扱説明書２０１は、取扱説明書２０１の表面および裏面に同一の内容が記載されている。これにより、取扱説明書２０１を折り返した状態であっても、ユーザは、取扱説明書２０１を折り返す前と同様の情報を得ることができ、支障なく配線接続を行うことができる。
【００５８】
以上より、ＤＶＤレコーダ１０２の設置状況により、ユーザが、ＤＶＤレコーダ１０２の上面に配置されている取扱説明書２０１に記載されている内容を見難い場合には、取扱説明書２０１を折り返し、接続先情報が記載されている面をＤＶＤレコーダ１０２の側面に移動させることができる。例えば、ＤＶＤレコーダ１０２の上面にテレビ２１０を設置するような使用形態であっても、ユーザは、取扱説明書２０１をＤＶＤレコーダ１０２のアンテナ端子１０３から取り外すことなく接続作業を行うことができる。
【００５９】
また、取扱説明書２０１を折り返した状態において、切り欠き１０５と切り欠き２０５とは重なる。これにより、アンテナケーブル接続後であってもアンテナケーブルを取外すことなく取扱説明書２０１をＤＶＤレコーダ１０２から容易に分離することができる。例えば、図４（ｂ）において、取扱説明書２０１を図中の右方向へずらすことにより、取扱説明書２０１をＤＶＤレコーダ１０２から分離することができる。
【００６０】
以上、本発明の実施の形態に係る取扱説明書について説明したが、本発明は、この実施の形態に限定されるものではない。
【００６１】
例えば、上記説明では、ＤＶＤレコーダ１０２に本発明の取扱説明書を適用したが、これに限らない。例えば、テレビ、ＡＶアンプ等のＡＶ機器にも適用してもよい。
【００６２】
また、上記説明では、アンテナ端子１０３に、穴１０４を嵌合するとしたがこれに限らない。穴１０４を嵌合するのは、アンテナ端子１０３以外の端子であってもよい。また、機器に形成されている凸状の部材と同形状の穴を取扱説明書に形成し、嵌合してもよい。さらに、機器に形成されてい凹状の部材に、嵌合できる凸状の接続部を取扱説明書に形成し、嵌合してもよい。
【００６３】
また、上記説明では、実施の形態２において、取扱説明書２０１を折り返すことによりＤＶＤレコーダ１０２に対する取扱説明書２０１の配置を変更するとしたが、これに限らない。例えば、穴１０４とアンテナ端子１０３とを一旦分離し、ＤＶＤレコーダ１０２に対する取扱説明書２０１の配置を変更してもよい。すなわち、取扱説明書２０１に穴１０４と同形状の予備穴を設け、穴１０４とアンテナ端子１０３とを一旦分離した後、予備穴にアンテナ端子１０３を通し、取扱説明書２０１とＤＶＤレコーダ１０２とを取外し可能な状態に固定してもよい。これにより、取扱説明書２０１の位置をＤＶＤレコーダ１０２の上面から、他の位置へ変更することができる。
【００６４】
また、取扱説明書１０１および取扱説明書２０１は、穴１０４あるいは穴２０４以外に、ＤＶＤレコーダ１０２の放熱を妨げないように、複数の穴を設けてもよい。すなわち、取扱説明書１０１および取扱説明書２０１は、ＤＶＤレコーダ１０２に取外し可能な状態で固定された状態において、ＤＶＤレコーダ１０２の放熱を行う穴を備えてもよい。例えば、ＤＶＤレコーダ１０２の上面に設けられた放熱孔と同形状に設けてもよいし、多数の小孔を設けてもよい。図５は、放熱用の穴を設けた取扱説明書とＤＶＤレコーダの斜視図である。図５に示すように取扱説明書３０１にＤＶＤレコーダ１０２の放熱孔３０２と同形状であり、取扱説明書３０１をＤＶＤレコーダ１０２に取外し可能な状態で固定された状態において放熱孔３０２と重なる放熱用の穴３０３を設けてもよい。これにより、ＤＶＤレコーダ１０２は、取扱説明書３０１が装着されていても、放熱が妨げられない。よって、取扱説明書３０１を装着した状態で、ＤＶＤレコーダを使用することができる。
【００６５】
また、上記説明では、取扱説明書１０１および２０１の材料は紙であるとしたが、例えば、ビニール等であってもよい。
【００６６】
また、穴１０４と接続先情報が記載されている接続先説明部１２１ａ〜１２１ｄとの間（例えば、折り返し部分等）に、ミシン目を設け、ユーザによる配線接続作業が終了した後に、ミシン目により、接続先説明部１２１ａ〜１２１ｄを切り離せるようにしてもよい。
【産業上の利用可能性】
【００６７】
本発明は、取扱説明書に適用でき、特に、テレビ、ＡＶアンプ、レコーダまたはプレーヤ等のＡＶ機器の取扱説明書に適用できる。
【図面の簡単な説明】
【００６８】
【図１】実施の形態１における取扱説明書の装着例を示す図である。
【図２】実施の形態１における取扱説明書の展開図である。
【図３】実施の形態１における取扱説明書のタブを用いた場合の展開図である。
【図４】実施の形態２における取扱説明書の折り返し使用の例を示す図である。
【図５】放熱用の穴を設けた取扱説明書の構成を示す図である。
【符号の説明】
【００６９】
１０１、２０１、３０１    取扱説明書
１０２    ＤＶＤレコーダ
１０３    アンテナ端子
１０４、１０４ａ〜１０４ｄ、２０４    穴
１０５、２０５    切り欠き
１１０    タブ
１２１ａ〜１２１ｄ    接続先説明部
１２２ａ〜１２２ｄ    接続明示部
２１０    テレビ
３０２    放熱孔
３０３    放熱用の穴
【図１】
2007181956.tif 000003
【図２】
2007181956.tif 000004
【図３】
2007181956.tif 000005
【図４】
2007181956.tif 000006
【図５】
2007181956.tif 000007